(57)【要約】【課題】帽子の装着作業が簡単で、かつ帽子を確実に支持し、作業性と生産性を向上させることができるようにする。【解決手段】本発明による帽子保持装置は、帽子が装着される保持部材と、前記保持部材と一端が分離可能に結合され、前記帽子を前記保持部材に維持するための加圧部材を含む刺繍機用帽子保持装置において、前記加圧部材の両端部に前記保持部材に固定される固定部が一つ以上形成される。【選択図】  図３
2004277985.tif 000002
【特許請求の範囲】
【請求項１】
帽子が装着される保持部材と、前記保持部材と一端が分離可能に結合され、前記帽子を前記保持部材に維持するための加圧部材とを含んだ刺繍機用帽子保持装置において、
前記加圧部材の一端または両端部に、前記保持部材に固定された固定部が一つ以上形成されることを特徴とする刺繍機用帽子保持装置。
【請求項２】
前記加圧部材は、前記帽子の刺繍可能領域を前記保持部材に維持するための第１加圧部材と、前記第１加圧部材が前記保持部材に結合された位置に一端が分離可能に結合され、前記帽子の刺繍不能領域を前記保持部材に固定するための第２加圧部材とを含むことを特徴とする請求項１記載の刺繍機用帽子保持装置。
【請求項３】
前記保持部材は、前記帽子の刺繍可能領域を支持する、一部が切断された円筒状の第１支持面と、前記帽子の刺繍不能領域を支持する第２支持面を備え、前記第２支持面は前記第１支持面の両端から前方へ一定長さだけ延長された二つの延長部と、前記延長部の両端部を前記第１支持面に対し平行に連結する連結部に形成され、前記第２支持面の自由先端が針の駆動経路の前方に位置することを特徴とする請求項２記載の刺繍機用帽子保持装置。
【請求項４】
前記第２支持面を構成する前記延長部の上端から前記第１支持面の両端部の一定長さの内側部まで曲線状に連結されるように延長部が形成されることを特徴とする請求項３記載の刺繍機用帽子保持装置。
【請求項５】
前記第２支持面の前記二つの延長部のいずれか一つに、前記第２加圧部材の分離されている長手方向の末端部に形成される第２帽子固定部を受容する受容手段が形成されることを特徴とする請求項３記載の刺繍機用帽子保持装置。
【請求項６】
前記第１支持面および前記第１支持面の両端から延長された第２支持面の延長部の後方側に、円周方向に対して略垂直に延長し突出するように形成されるフランジ部と、前記第１支持面の前方側に外側に向かって略直角に突出した突起部を備えることを特徴とする請求項３記載の刺繍機用帽子保持装置。
【請求項７】
前記フランジ部の一端部に結合部材が直立形成され、前記結合部材に第１加圧部材と第２加圧部材が結合され、前記の結合部材が形成されたフランジ部の一端部ではなく、他端部側に前記第１支持面上に前記第１加圧部材の係止突起がさらに形成されることを特徴とする請求項６記載の刺繍機用帽子保持装置。
【請求項８】
前記第１加圧部材の長手方向の末端部に締付け器具が付いた固定具が備えられ、前記第２加圧部材の長手方向の末端部に係止ホックを備え、前記第１加圧部材の締付け器具が付いた固定具が前記第２加圧部材の係止ホックに固定されることによって帽子が保持部材に支持されることを特徴とする請求項２乃至請求項７記載のいずれか一つの刺繍機用帽子保持装置。
【請求項９】
前記第１加圧部材は、長い板状の加圧部と、前記加圧部の一端部から幅方向に延長され形成される第１拡張部と、前記加圧部の他端部から幅方向に延長され形成される第２拡張部とを備え、前記第１及び／又は第２拡張部は前記フランジ部に固定される“⊂”字形の固定部が一つ以上形成されることを特徴とする請求項８記載の刺繍機用帽子保持装置。
【請求項１０】
前記第２加圧部材は、前記結合部材と回動自在に形成される第２回動部と、前記第２回動部の上端から延長され前記第２支持面の連結部に対応するように形成される上部部材と、前記上部部材と一定間隔をおいて前記第２回動部の下段から延長され前記上部部材に対応するように形成される下部部材と、前記上部部材と前記下部部材を連結する連結部材となり得るつまみ部と、を備えることを特徴とする請求項８記載の刺繍機用帽子保持装置。
【請求項１１】
前記連結部材の外側端部に前記第２支持面の延長部に形成された受容手段に受容される第２帽子固定部を備え、前記上部部材と前記下部部材の間の第２回動部から延長して前記第２回動部と隣接した第２支持面の延長部に接するように形成された第１帽子固定部を備え、前記連結部材の外側に前記下部部材と対向するように係止ホックが形成されることを特徴とする請求項１０記載の刺繍機用帽子保持装置。
【請求項１２】
前記保持部材の円周上の一部から延長され形成され、前記帽子の奥寸法に従って前記帽子を引っ張った状態に維持することができるように、高さの調節が可能な帽子形状の維持部をさらに含むことを特徴とする請求項１記載の刺繍機用帽子保持装置。
【請求項１３】
前記帽子形状の維持部は、前記保持部材の円周上の一部から延長され形成される保持板部と、前記保持板部と結合され前記帽子の奥寸法に従って前記帽子を引っ張った状態に維持することができるように、高さの調節が可能な帽子形状の支持部を含むことを特徴とする請求項１２記載の刺繍機用帽子保持装置。
【請求項１４】
前記保持板部は、所定位置に一定間隔をおいて設置される一対の突出ピンを備え、前記帽子形状の支持部は、前記保持板部と表面接触が円滑になるように前記保持板部の形状に対応する前記本体部と、前記一対の突出ピンに対応する前記本体部の位置に前記突出ピンが挿入されることができるように十分な幅をもって形成される一対の長いスロットと、前記本体部の両側面に形成される溝と、を含むことを特徴とする請求項１３記載の刺繍機用帽子保持装置。
【請求項１５】
前記帽子形状の支持部は、前記帽子が前記帽子保持装置に刺繍のため覆われる時、帽子の形状を自然に維持するため上端部が曲がって形成され、前記突出ピンが前記スロットに差込まれた状態で締結手段により前記保持板部に結合されることを特徴とする請求項１４記載の刺繍機用帽子保持装置。
【請求項１６】
前記溝と結合され前記帽子をしっかり支持するための保持クリップをさらに含むことを特徴とする請求項１４記載の刺繍機用帽子保持装置。
【請求項１７】
前記保持部材の下側方から円周方向に対して略垂直に延長し突出するように形成されるフランジ部と、前記保持板部の両端に対応する前記フランジ部上に前記保持部材の中心軸の方向に沿って一対の第１棒及び第２棒が直立形成され、前記第２棒には鉤状の係止ホックが設置されることを特徴とする請求項１２記載の刺繍機用帽子保持装置。
【請求項１８】
前記加圧部材は、長い板形状の加圧部と、前記加圧部の一端部から幅方向へ延長され形成される第１拡張部と、前記加圧部の他端部から幅方向へ延長され形成される第２拡張部とを備え、前記第１拡張部は前記第１棒と回動自在に結合される空いている筒状の回動部を備え、前記第２拡張部は前記第２棒に設置される鉤状の係止ホックと結合される締付け器具が付いた固定具を備え、前記第１拡張部及び／又は前記第２拡張部は前記フランジ部と結合される“⊂”字形の固定部を一つ以上備えることを特徴とする請求項１７記載の刺繍機用帽子保持装置。
【発明の詳細な説明】
【０００１】
【発明の属する技術分野】
本発明は刺繍機で刺繍される帽子を保持するための帽子保持装置に関し、特に帽子の装着作業が簡単で、かつ刺繍作業の時帽子を確実に支持することができる帽子保持装置に関する。
【０００２】
【従来の技術】
従来の帽子保持装置は、帽子を保持装置に装着することが容易でないため、作業時間が長くかかる問題点があるだけではなく、帽子がぴんと維持できない状態に保持され、帽子が揉みくちゃになったり、変形が生じたりして、刺繍作業の時、文様が帽子の正確な位置に形成されず、使用者の意図とは違う位置に刺繍文様が形成されるなどの問題が頻繁に発生していた。
【０００３】
以下、図１及び図２を参照して従来の帽子保持装置の構造及び問題点を具体的に説明する。図１は従来技術による刺繍機用帽子保持装置を示した斜視図であり、図２は図１の帽子保持装置に帽子が装着された状態を示した図面である。
【０００４】
図１に示したように、従来の帽子保持装置５０は円筒状に形成され、帽子が装着される円筒状の保持部材５１と、前記帽子を前記保持部材５１に維持させるためのバンド状の加圧部材５２を備える。前記保持部材５１はその一端部側には円筒面に対して略垂直に延長し突出されるように形成されるフランジ部５３を、他端部側には円筒の外側に向かって略直角に突出した半円形または歯形突起部を備える。前記フランジ部５３には、隣接した位置で前記保持部材５１の中心軸の方向に沿って一対の棒５４が直立形成される。前記棒の中の一つには鉤状の係止ホック５７が設置される。加圧部材５２はその一端部に前記棒の一つには回動自在に連結される連結具５５を備え、その他端部に前記棒の他の一つに形成された係止ホック５７に結合される締付け器具が付いた固定具５６を備え、その中央部に前記帽子のつば部Ｐが自由に挿入されることができるように形成された挿通孔５２ａを備える。
【０００５】
前記帽子保持装置５０に帽子１０を装着するためには、まず帽子１０の汗流し防止部Ｂをキャップ部Ｃから取出し、つば部Ｐを前記棒５４の反対側に向かうようにした状態で帽子１０を保持装置５１及び棒５４に覆う。
【０００６】
そして、汗流し防止部Ｂを保持装置５１に沿って広げて、その上に加圧部材５２を取り囲んで、加圧部材５２の固定具５６を係止ホック５７に固定して帽子１０を保持させる。
【０００７】
その状態で、キャップ部Ｃの後部を下方に引っ張って、刺繍可能範囲Ａはぴんと維持させ、キャップＣの後方側Ｃｃにはゆとりが生ずるようにする。そして、他方の手でキャップ部Ｃの上側から二つの棒５４にクリップ５９を各々装着すると、刺繍可能範囲Ａの緩みが縫製されないキャップＣの後方に移した状態で帽子１０が保持される。
【０００８】
このように、従来の帽子保持装置５０はキャップＣの後方側Ｃｃを下方にぴんと引っ張って、複数のクリップ５９を装着しなければならないため、作業性が悪くなる問題点があるだけではなく、刺繍可能範囲Ａをぴんと維持するために複数のクリップ５９が必要であり、クリップ５９が損傷したり、クリップ５９を紛失した時には、作業が困難であるという問題点があった。
【０００９】
さらに、刺繍作業の時、帽子１０にかかる刺繍針の圧力が相当に強いため、帽子１０のつば部Ｐがしっかり固定される必要があり、前記加圧部材５２には帽子１０のつば部Ｐが挿入される挿通孔５２ａが必ず形成されなければならない。このような構造によって帽子１０を保持部材５１に装着するためには、汗流し防止部Ｂを保持装置５１に沿って広げた後、その上を加圧部材５２をもって取り囲む時必ずつば部Ｐを挿通孔５２ａに挿入しなければならないため、熟練者でなければ帽子を帽子保持装置に装着することが複雑であり、かつ時間がたくさんかかるなどの問題点があった。
【００１０】
さらに、このような従来の帽子保持装置の構造上必然的に発生する作業性の不便により刺繍可能範囲Ａがぴんと維持されなくて、刺繍作業の時は刺繍文様の完成度が低下してしまうという問題が発生していた。
【００１１】
従って、このような問題点を解決した帽子保持装置に対する当業界のニーズが多数存在していた。
【００１２】
【発明が解決しようとする課題】
本発明は、前記のような問題点を解決するために案出したものであって、本発明の目的は、帽子の装着作業が簡単であり、かつ帽子を確実に支持することができる帽子保持装置を提供することにある。
【００１３】
また、本発明の目的は、簡単な構造を採択することによって刺繍作業の時に作業性及び生産性を向上させた帽子保持装置を提供することにある。
【００１４】
また、本発明の目的は、刺繍作業のため容易に移動可能な構造を持っている帽子保持装置を提供することにある。
【００１５】
また、本発明の目的は、製造工程を単純にし製造費用を節減した帽子保持装置を提供することにある。
【００１６】
また、本発明の他の目的は、帽子の前面及び側面の内側面を揉みくちゃにならないようにぴんと保持し、帽子の奥寸法に拘わらず帽子をぴんと保持することによって刺繍の品質を向上させることができる帽子保持装置を提供することにある。
【００１７】
さらに、本発明の他の目的は、帽子をぴんと正確な位置に保持することによって、予め設定されている刺繍文様のデータにより刺繍する部分の領域提供に正確に対応することができる帽子保持装置を提供することにある。
【００１８】
【課題を解決するための手段】
前記目的を達成するために、本発明による帽子保持装置は、帽子が装着される保持部材と、前記保持部材と一端が分離可能に結合され、前記帽子を前記保持部材に維持するための加圧部材とを含んだ刺繍機用帽子保持装置において、前記加圧部材の一端または両端部に、前記保持部材に固定された固定部が一つ以上形成されることを特徴とする。
【００１９】
前記加圧部材は、前記帽子の刺繍可能領域を前記保持部材に維持するための第１加圧部材と、前記第１加圧部材が前記保持部材に結合された位置に一端が分離可能に結合され、前記帽子の刺繍不能領域を前記保持部材に固定するための第２加圧部材とを含むことを特徴とする。
【００２０】
前記保持部材は、前記帽子の刺繍可能領域を支持する、一部が切断された円筒状の第１支持面と、前記帽子の刺繍不能領域を支持する第２支持面を備え、前記第２支持面は前記第１支持面の両端から前方へ一定長さだけ延長された二つの延長部と、前記延長部の両端部を前記第１支持面に対し平行に連結する連結部に形成され、前記第２支持面の自由先端が針の駆動経路の前方に位置することが望ましい。
【００２１】
また、前記第２支持面を構成する前記延長部の上端から前記第１支持面の両端部の一定長さの内側部まで曲線状に連結されるように延長部が形成されることもできる。
【００２２】
前記第２支持面の前記二つの延長部のいずれか一つに、前記第２加圧部材の分離されている長手方向の末端部に形成された第２帽子固定部を受容する受容手段が形成されることが望ましい。
【００２３】
前記第１支持面および前記第１支持面の両端から延長された第２支持面の延長部の後方側に、円周方向に対して略垂直に延長し突出するように形成されたフランジ部と、前記第１支持面の前方側に外側に向かって略直角に突出した突起部を備えることを特徴とする。
【００２４】
前記フランジ部の一端部に結合部材が直立形成され、前記結合部材に第１加圧部材と第２加圧部材が結合され、前記の結合部材が形成されたフランジ部の一端部ではなく、他端部側に前記第１支持面上に前記第１加圧部材の係止突起がさらに形成されることを特徴とする。
【００２５】
前記第１加圧部材の長手方向の末端部に締付け器具が付いた固定具が備えられ、前記第２加圧部材の長手方向の末端部に係止ホックを備え、前記第１加圧部材の締付け器具が付いた固定具が前記第２加圧部材の係止ホックに固定されることによって帽子が保持部材に支持されることを特徴とする。
【００２６】
前記第１加圧部材は、長い板状の加圧部と、前記加圧部の一端部から幅方向に延長され形成される第１拡張部と、前記加圧部の他端部から幅方向に延長され形成される第２拡張部とを備え、前記第１及び／又は第２拡張部は前記フランジ部に固定される“⊂”字形の固定部が一つ以上形成されることを特徴とする。
【００２７】
前記第２加圧部材は、前記結合部材と回動自在に形成される第２回動部と、前記第２回動部の上端から延長され前記第２支持面の連結部に対応するように形成される上部部材と、前記上部部材と一定間隔をおいて前記第２回動部の下段から延長され前記上部部材に対応するように形成される下部部材と、前記上部部材と前記下部部材を連結する連結部材となり得るつまみ部と、を備えることを特徴とする。
【００２８】
前記連結部材の外側端部に前記第２支持面の延長部に形成された受容手段に受容される第２帽子固定部を備え、前記上部部材と前記下部部材の間の第２回動部から延長して前記第２回動部と隣接した第２支持面の延長部に接するように形成された第１帽子固定部を備え、前記連結部材の外側に前記下部部材と対向するように係止ホックが形成されることを特徴とする。
【００２９】
また、本発明の帽子保持装置は、前記保持部材の円周上の一部から延長され形成され、前記帽子の奥寸法に従って前記帽子を引っ張った状態に維持することができるように、高さの調節が可能な帽子形状の維持部をさらに含むことを特徴とする。
【００３０】
前記帽子形状の維持部は、前記保持部材の円周上の一部から延長され形成される保持板部と、前記保持板部と結合され前記帽子の奥寸法に従って前記帽子を引っ張った状態に維持することができるように、高さの調節が可能な帽子形状の支持部を含むことを特徴とする。
【００３１】
前記保持板部は、所定位置に一定間隔をおいて設置される一対の突出ピンを備え、前記帽子形状の支持部は、前記保持板部と表面接触が円滑になるように前記保持板部の形状に対応する前記本体部と、前記一対の突出ピンに対応する前記本体部の位置に前記突出ピンが挿入されることができるように十分な幅をもって形成される一対の長いスロットと、前記本体部の両側面に形成される溝と、を含むことが望ましい。
【００３２】
前記帽子形状の支持部は、前記帽子が前記帽子保持装置に刺繍のため覆われる時、帽子の形状を自然に維持するため上端部が曲がって形成され、前記突出ピンが前記スロットに差込まれた状態で締結手段により前記保持板部に結合されることを特徴とする。
【００３３】
前記溝と結合され前記帽子をしっかり支持するための保持クリップをさらに含むことが望ましい。
【００３４】
前記保持部材の下側方から円周方向に対して略垂直に延長し突出するように形成されるフランジ部と、前記保持板部の両端に対応する前記フランジ部上に前記保持部材の中心軸の方向に沿って一対の第１棒及び第２棒が直立形成され、前記第２棒には鉤状の係止ホックが設置されることを特徴とする。
【００３５】
前記加圧部材は、長い板形状の加圧部と、前記加圧部の一端部から幅方向へ延長され形成される第１拡張部と、前記加圧部の他端部から幅方向へ延長され形成される第２拡張部とを備え、前記第１拡張部は前記第１棒と回動自在に結合される空いている筒状の回動部を備え、前記第２拡張部は前記第２棒に設置される鉤状の係止ホックと結合される締付け器具が付いた固定具を備え、前記第１拡張部及び／又は前記第２拡張部は前記フランジ部と結合される“⊂”字形の固定部を一つ以上備えることを特徴とする。
【００３６】
【発明の実施の形態】
以下、図面を参照して本発明の望ましい実施例による帽子保持装置について説明する。
【００３７】
本発明は、回転されるシャトル（Ｓｈｕｔｔｌｅ）と垂直に往復駆動される針の協同作用により上糸と下糸とにより一縫い目を形成する刺繍機で、刺繍する帽子を保持し支持する帽子保持装置１００に関し、帽子が装着される保持部材１１０、１１０’と、前記保持部材１１０、１１０’と一端が分離可能に結合され前記帽子１０を前記保持部材１１０、１１０’に維持するための加圧部材１２０、１６０を含んだ刺繍機用保持装置であって、特に前記加圧部材１２０、１６０の一端または両端部に前記保持部材１１０、１１０’に固定される固定部が一つ以上形成されることを特徴とする。
【００３８】
まず、図３乃至図１０を参照して本発明の望ましい第１実施例による帽子保持装置に対して説明する。
【００３９】
図３は本発明の望ましい第１実施例による帽子保持装置の斜視図であり、図４は図３の平面図である。
【００４０】
図３及び図４に示したように、本発明の望ましい第１実施例による帽子保持装置は、帽子１０が装着される保持部材１１０と、前記保持部材１１０と一端が分離可能に結合され、前記帽子１０の刺繍可能領域を前記保持部材１１０に維持するための第１加圧部材１２０と、前記第１加圧部材１２０が前記保持部材１１０に結合された位置に一端が分離可能に結合され、前記帽子１０の刺繍不能領域を前記保持部材１１０に固定するための第２加圧部材１３０を含む。
【００４１】
前記保持部材１１０は、前記帽子１０の刺繍可能領域の下部側を支持する第１支持面１１１と、前記帽子１０の刺繍不能領域の下部側を支持する第２支持面１１２を備える。前記第１支持面１１１は一部が切断された円筒状であり、前記第２支持面１１２は前記第１支持面１１１の両端から前方へ一定長さだけ延長された二つの延長部１１２ａと、前記延長部１１２ａの両端部を前記第１支持面１１１に対して平行に連結する連結部１１２ｂとを用いて形成され、前記第２支持面１１２の自由先端が刺繍作業の時、針の駆動経路の前方に位置することになる。ここで、自由先端というのは、帽子が装着される方向の端部を意味する。
【００４２】
前記第２支持面１１２の前記二つの延長部１１２ａのいずれか一つには、前記第２加圧部材１３０の分離された長手方向の末端部に形成された第２帽子固定部１３５を受容する受容手段１１２ｃが形成される。
【００４３】
前記保持部材１１０は、前記第１支持面１１１及び前記第１支持面１１１の両端から延長される第２支持面１１２の延長部１１２ａの後方側（または下部側）へ円周方向に対して略垂直に延長し突出するように形成されるフランジ部１１３と、前記第１支持面１１１の前方側（または上部側）に外側に向かって略直角に突出した半円形または歯形突起部１１１ａとを備える。
【００４４】
前記フランジ部１１３の一端部に結合部材１１４が直立形成され、前記結合部材１１４は、望ましくは棒形状である。前記結合部材１１４には、第１加圧部材１２０と第２加圧部材１３０が結合される。前記結合部材１１４が形成されたフランジ部１１３の一端部ではなく、フランジ部１１３の他端部側である前記第１支持面１１１上には、前記第１加圧部材１２０の係止突起１１５が形成される。
【００４５】
本発明の帽子保持装置１００は、前記帽子１０を前記保持部材１１０に加圧し固定するため、前記帽子１０を第１支持面１１１の上で加圧する第１加圧部材１２０と、前記第２支持面１１２の上で加圧する第２加圧部材１３０とを用いて構成される。
【００４６】
前記第１加圧部材１２０の長手方向の末端部に締付け器具が付いた固定具１２４が備えられ、前記第２加圧部材１３０の長手方向の末端部に係止ホック１３３が備えられ、前記第１加圧部材１２０の締付け器具が付いた固定具１２４が前記第２加圧部材１３０の係止ホック１３３に固定されることによって帽子１０が保持部材１１０にしっかり維持される。
【００４７】
前記第１加圧部材１２０の両端部には前記フランジ部１１３に固定される固定部１２５、１２６が形成され、前記固定部１２５、１２６は前記第１加圧部材１２０の一端部または両端部に一つ以上形成されることが好ましい。
【００４８】
前記第１加圧部材１２０は、長い板状の加圧部１２１と前記加圧部の一端部から幅方向へ延長され形成される第１拡張部１２２と、前記加圧部１２１の他端部から幅方向へ延長され形成される第２拡張部１２３を備える。前記加圧部１２１は一方の長手方向に沿って前記第１支持面１１１に向かうように形成された半円形または歯形の第１歯１２０ａを備える。前記第１加圧部材１２０は、弾性材を使用しバンド状に形成されたもので、保持部材１１０の外周に合う形状になるように弾性的に変形されることができる。
【００４９】
次に、図４の背面図を示した図５を参照して第１加圧部材１２０と第２加圧部材１３０の構成に対してより詳細に説明する。
【００５０】
第１加圧部材１２０の前記第１拡張部１２２は前方側（または上部側）へ前記第１支持面１１１に向かうように形成される第２歯（未図示）と、前記第１拡張部１２２の長手方向に端部に前記結合部材１１４と回動自在に形成される第１回動部１２７と、前記第２歯と対向される方に形成され前記フランジ部１１３と結合される“⊂”字形の固定部１２５を一つ以上備える。
【００５１】
前記の第２拡張部１２３は、前方側（または上部側）に前記第１支持面１１１に向かうように形成される第３歯（未図示）と、前記第３歯と対向される方に形成される係止突起の受容手段１２８と、前記係止突起の受容手段１２８が形成された方の端部に形成され、前記フランジ部１１３と結合される一つ以上の“⊂”字形の固定部１２６と、前記第２拡張部１２３の長手方向に端部に形成される締付け器具が付いた固定具１２４を備える。
【００５２】
場合によっては、前記第１拡張部１２２と前記第２拡張部１２３のいずれか一方にだけ前記“⊂”字形の固定部１２５、１２６が一つ以上形成されてもよい。
【００５３】
また、前記第２加圧部材１３０は、前記結合部材１１４と回動自在に形成される第２回動部１３４と、前記第２回動部１３４の上端から延長され、前記第２支持面１１２の連結部１１２ｂに対応するように形成される上部部材１３２ａと、前記上部部材１３２ａと一定間隔をおいて前記第２回動部１３４の下段から延長され前記上部部材１３２ａに対応するように形成される下部部材１３２ｂと、前記上部部材１３２ａと前記下部部材１３２ｂとを連結する連結部材１３２ｃとなり得るつまみ部１３２を備える。前記第２加圧部材１３０は弾性体に形成されることもできる。
【００５４】
前記第２加圧部材１３０は、前記連結部材１３２ｃの外側端部に第２帽子固定部１３５を備え、前記第２帽子固定部１３５は前記第２支持面１１２の延長部に形成された受容手段１１２ｃに受容され、帽子をしっかり固定する（図３及び図４参照）。前記上部部材１３２ａと前記下部部材１３２ｂの間の第２回動部１３４から延長され、前記第２回動部１３４と隣接した第２支持面１１２の延長部に接するように形成される第１帽子固定部１３１を備える（図４参照）。前記第１帽子固定部１３１及び第２帽子固定部１３５の端部に半円形または歯形の突起が形成されることもできる。前記連結部材１３２ｃの外側に前記下部部材１３２ｂと対向されるように係止ホック１３３が形成される。また、前記第２回動部１３４はストッパー１１６を介して結合部材から離脱されることを防止するように構成されることができる。
【００５５】
図６は図３の帽子保持装置に帽子が装着された状態を示した平面図であり、図７は図６のＡ−Ａ’線に沿った断面図を示したのであり、前記第１加圧部材１２０の両端部は保持部材１１０のフランジ部１１３に固定される“⊂”字形の固定部１２５、１２６が一つ以上形成される。図７に示したように、前記保持部材１１０の第１支持面１１１の後方側に形成されるフランジ部１１３に、前記第１加圧部材１２０の両端部に形成された固定部１２５、１２６がしっかり固く嵌め込まれて固定されるため、前記第１支持面１１１上に支持される前記帽子１０の刺繍可能領域を第１加圧部材が加圧し前記帽子１０をしっかり固定するため、刺繍作業の時、針により力をかけても前記帽子１０が帽子保持装置１００にしっかり維持され安定な刺繍作業を可能になるようにするため品質の高い刺繍品が得られる。
【００５６】
以下、本発明の望ましい第１実施例による刺繍機用帽子保持装置に、刺繍する帽子を装着させる方法について説明する。
【００５７】
まず、第１加圧部材１２０の締付け器具が付いた固定具１２４を第２加圧部材１３０の係止ホック１３３から外して、第１加圧部材１２０及び第２加圧部材１３０を図３のように保持部材１１０から外した状態で作業織物（以下、帽子という）１０の刺繍する部分が前記保持部材１１０の第１支持面１１１に位置するようにし、前記帽子１０の刺繍しない部分が前記保持部材１１０の第２支持面１１２上に位置するようにする。
【００５８】
その後、前記第１加圧部材１２０を前記第１支持面１１１の外周に沿って前記帽子１０の刺繍する部分の上に折り曲げて、前記第２加圧部材１３０により前記第２支持面１１２に支持された前記帽子１０の刺繍しない部分の上に前記第２支持面１１２の外周に沿って取り囲む。その後、前記第１加圧部材１２０の締付け器具が付いた固定具１２４を前記第２加圧部材１３０の係止ホック１３３に掛ける。前記締付け器具が付いた固定具１２４を前記係止ホック１３３に結合させる作業は、第１加圧部材１２０の両端部に形成された“⊂”字形の固定部１２５、１２６が、前記保持部材１１０に形成されたフランジ部１１３に図７のように固定されるように進行しなければならない。前記“⊂”字形の固定部１２５、１２６を前記保持部材１１０に形成されたフランジ部１１３に固定させる作業は、第１加圧部材１２０を前記第１支持面１１１の外周に沿って折り曲げる時にすることもできる。
【００５９】
また、前記第２加圧部材１３０を前記第２支持面１１２上に固定する方法を詳細に説明すると、前述したように、まず第２支持面１１２に支持された前記帽子１０の刺繍しない部分に対して前記第２加圧部材１３０が前記第２支持面１１２の外周に沿って帽子１０の縁を取込むようにし、前記帽子１０をぴんと引っ張った状態に第２加圧部材１３０により加圧固定し、その時、前記第２加圧部材１３０に形成された第１帽子固定部１３１及び第２帽子固定部１３５により前記帽子１０を確実に加圧することによって前記帽子１０をしっかり維持することができる。
【００６０】
以上の過程を通じて、図６のように刺繍する帽子１０が帽子保持装置１００にしっかり固定され、刺繍作業の時、針の駆動により力がかかっても前記帽子１０が前後に移動することを阻止するようになる。また、前記帽子１０の刺繍する部分が、例えば縁が保持部材１１０の第１支持面１１１の突起部１１１ａと、第１加圧部材１２０の多数の歯１２０ａにより滑りが防止され、確実に噛合う状態を維持することができる。
【００６１】
図８は図６の帽子を保持した帽子保持装置１００が刺繍機の駆動装置に装着された状態の左側面図である。
【００６２】
図８に示したように、前記刺繍機の駆動装置により帽子保持装置１００が前後移動及び左右回動をするようになるため、前記帽子１０を装着した帽子保持装置１００を刺繍機の駆動装置に装着すると、前記駆動装置の駆動に従って前記帽子保持装置は刺繍文様データにより前後移動と左右回動及び針７０の上下運動とシャトル（未図示）の協同作用により帽子１０に所定の刺繍が行われる。
【００６３】
図９及び図１０は本発明の帽子保持装置１００の望ましい第２実施例による帽子保持装置の斜視図及び背面図である。
【００６４】
本発明の第２実施例による帽子保持装置１００は、保持部材１１０の第２支持面１１２を構成する延長部１１２ａの上端から、前記第１支持面１１１の両端部の一定長さの内側部まで、曲線型に連結されるように前記延長部１１２ａが形成されるのを除けば、前述した第１実施例の帽子保持装置１００の技術的な構成と実質的に同一であり、同一な過程を経て帽子を装着することができ、本発明の第２実施例によるとデザイン的に流麗で、かつ帽子１０を一層しっかり支持することができる効果がある。
【００６５】
次は、図１１乃至図１５を参照して本発明の望ましい第３実施例による帽子保持装置について説明する。
【００６６】
図１１は本発明の望ましい第３実施例による帽子保持装置の斜視図であり、図１２は図１１の分解斜視図である。図１１及び図１２に示したように、本発明の第３実施例による帽子保持装置は、円筒状に形成され帽子が装着される保持部材１１０’と、前記帽子１０を前記保持部材１１０’に維持するための加圧部材１６０と、前記保持部材１１０’の円周上の一部から延長され形成され、前記帽子の奥寸法に従って前記帽子をぴんと引っ張った状態に維持することができるように高さの調節が可能な帽子形状の維持部１５０を含む。参照番号１７０は帽子が帽子保持装置に覆われた状態でこれを固定するために使用されるものであって、帽子保持クリップを示し、つまみ部１７０ａ、結合部１７０ｂ及び案内部１７０ｃに構成される。
【００６７】
前記保持部材１１０’は、下側方から円筒面の円周方向に対して略垂直に延長して突出されるように形成されるフランジ部１１３を備え、上端部には円筒の外側に向かって略直角に突出した半円形または歯形の突起部１１１ａを備える。
【００６８】
前記フランジ部１１３上には前記帽子形状の維持部１５０の両端に殆ど対応する位置で前記保持部材１１０’の中心軸方向に沿って一対の第１棒１６７及び第２棒１６８が直立形成され、前記第２棒１６８には鉤状の係止ホック１６９が設置される。また、前記フランジ部１１３上には前記第１棒１６７及び第２棒１６８の略向こう側の位置で前記保持部材の円周面と一定間隔をおいてセンターブロック１８０が設置される。
【００６９】
前記加圧部材１６０は長細い板状の加圧部１６０ａと、前記加圧部１６０ａの一端部から幅方向へ延長され形成される第１拡張部１６０ｂと、前記加圧部１６０ａの他端部から幅方向へ延長され形成される第２拡張部１６０ｃを備える。前記加圧部１６０ａは前記加圧部材１６０の一端部に形成された締付け器具が付いた固定具１６１が前記係止ホック１６９と結合する時、一方の長手方向に沿って前記保持部材１１０’の円筒面に向かうように突出形成された半円形または歯形の第１歯１６２を備える。ここで、前記締付け器具が付いた固定具１６１は望ましくはバックルである。前記第１拡張部１６０ｂは前記加圧部１６０ａの第１歯１６２が形成されない方に形成される半円形または歯形の第２歯１６３ａと、長手方向の端部に形成され、前記第１棒１６７と回動自在に結合される空いている筒状の回動部１６６と、幅方向の端部に形成され前記フランジ部１１３と結合される“⊂”字形の固定部１２５を一つ以上備える。前記第２拡張部１６０ｃは、前記加圧部１６０ａの第１歯１６２が形成されない方に形成される半円形または歯形の第３歯１６３ｂと、長手方向の端部に前記係止ホック１６９に結合される締付け器具が付いた固定具１６１と、幅方向の端部に形成され前記フランジ部１１３と結合される“⊂”字形の固定部１２６を一つ以上備える。
【００７０】
場合によっては、前記第１拡張部１６０ｂと前記第２拡張部１６０ｃのいずれか一方にだけ、前記“⊂”字形の固定部１２５、１２６を一つ以上形成してもよい。
【００７１】
前記帽子形状の維持部１５０は図１２及び図１３に詳しく示したように、前記保持部材１１０’の円周上の一部から延長され形成される保持板部１４０ａと、前記保持板部１４０ａと結合され前記帽子の奥寸法に従って前記帽子をぴんと引っ張った状態に維持することができるように高さの調節が可能な帽子形状の支持板部１５１を含む。前記保持板部１４０ａは所定位置に一定間隔をおいて設置される一対の突出ピン１４０ｂを備える。突出ピン１４０ｂはボルトまたは雄ネジ状のものが望ましいが、それに限定されない。前記帽子形状の支持板部１５１は前記保持板部１４０ａと表面接触が円滑になるように前記保持板部１４０ａの形状に対応する本体部と、前記一対の突出ピン１４０ｂに対応する前記本体部の位置に前記突出ピン１４０ｂが挿入されることができるように十分な幅をもって形成される一対の長いスロット１５１ａと、前記本体部の両側面に保持クリップ１７０と結合されることができるように形成される溝１５２を含む。また、前記帽子形状の支持板部１５１は前記帽子が前記帽子保持装置に刺繍のため覆われる時、帽子の形状を自然に維持するために上端部が曲がって形成される。前記帽子形状の支持板部１５１は図１２に示したように、前記突出ピン１４０ｂが前記スロット１５１ａに差込んだ状態でナットまたは雌ネジなどの締結手段１４０ｃにより結合することによって、前記保持板部１４０ａに結合される。
【００７２】
図１３は、帽子形状の維持部１５０で帽子形状の支持板部１５１が保持板部１４０ａと結合され、高さが調節された状態を示した図面である。図１３に示したように、帽子形状の支持板部１５１をスロット１５１ａに沿って上下に移動させることによって、帽子の奥寸法に従って帽子形状の支持板部１５１の高さを調節することができる。図面で実線で表示した部分は、帽子形状の支持板部１５１が一番低い位置に調整された状態を、一点鎖線で表示した部分は一番高い位置に調整された状態を示す。
【００７３】
図１４は図１１の帽子保持装置に帽子が装着された状態を示した平面図であり、図１５は図１４のＣ−Ｃ’線に沿った断面図であり、加圧部材１６０の加圧部１６０ａと、前記加圧部材１６０の両端に形成された一つ以上の固定部１２５、１２６がフランジ部１１３と結合された状態を示す。
【００７４】
以下、本発明の望ましい第３実施例による刺繍機用帽子保持装置に、刺繍する帽子を装着する方法について説明する。
【００７５】
まず、加圧部材１６０の締付け器具が付いた固定具１６１を係止ホック１６９から外した状態で、刺繍する範囲に該当されない帽子１０の部分、即ち刺繍不能領域が帽子形状の維持部１５０に向かうようにした状態で帽子１０を帽子保持装置１００に覆う。前記帽子１０を装着する前に帽子の奥寸法に従って前記帽子形状の維持部１５０（より具体的には、帽子形状の支持板部１５１）の高さを調節しておくのが望ましいことは勿論である。その後、第１棒１６７と結合された回動部１６６を中心軸にして、前記加圧部１６０ａを保持部材１１０’の円周方向に沿って折り曲げて締付け器具が付いた固定具１６１を係止ホック１６９に掛ける。前記締付け器具が付いた固定具１６１を前記係止ホック１６９に結合させる作業は、前記加圧部材１６０の両端部に一つ以上形成された“⊂”字形の固定部１２５、１２６が前記フランジ部１１３に図１５のように結合されるように進行しなければならない。そして、前記保持クリップ１７０を帽子１０の上で前記帽子形状の維持部１５０（より具体的には、帽子形状の支持板部１５１）の溝１５２に差込む。このように帽子１０を本発明の帽子保持装置１００に装着させると、前記帽子１０の縁が保持部材１１０’の突起部１１１ａと、加圧部１６０ａの第１歯１６２及び拡張部の第２歯１６３ａと、第３歯１６３ｂにより滑りが防止され、確実に噛合った状態で前記保持クリップ１７０により前記帽子１０が維持されるため、帽子が原形そのまま維持されることができる。
【００７６】
本発明は前述の特定の望ましい実施例に限定されることなく、請求範囲で請求する本発明の要旨を外れることなく、当該発明が属する技術分野で通常の知識を持っている者ならだれでも多様な変形実施が可能なのは勿論であり、そのような変更は請求範囲の記載の範囲内にある。すなわち、本発明は、上述した実施例に限定されるものではなく、その趣旨を逸脱しない限りにおいて、上述したもの以外に種々の変更を行うことが可能である。
【００７７】
【発明の効果】
前述した構成の本発明の帽子保持装置は次のような効果がある。
まず、本発明の帽子保持装置によると、帽子を装着するための手続きが非常に簡単であり、装着の便宜性を提供するため作業性にすぐれて、生産性を向上させることができる。
【００７８】
また、刺繍作業の時、帽子の刺繍する部分の領域が正確に提供され、帽子の前面及び側面の内側面を揉みくちゃにならないようにぴんと保持することによって、刺繍文様を正確な位置に形成することができ、刺繍の品質の向上を図ることができる。
【００７９】
また、作業者が帽子保持装置を持って移動する場合、前方へ延長された保持部材の支持面の部位（つまみ部）を握って移動することができ、より移動を容易にすることができる。
【００８０】
また、構造が単純であるため、製造工程を単純にし、製造費用を節減することができ、デザイン的に美麗である。
【００８１】
また、帽子の奥寸法に拘わらず、多様な帽子に対してご希望のパターンの刺繍を正確に行うことができる。
【図面の簡単な発明】
【図１】従来の技術による刺繍機用帽子保持装置の斜視図である。
【図２】図１の帽子保持装置に帽子が装着された状態を示した図面である。
【図３】本発明における望ましい第１実施例による帽子保持装置の斜視図である。
【図４】図３の平面図である。
【図５】図４の背面図である。
【図６】図３の帽子保持装置に帽子が装着された状態を示した平面図である。
【図７】図６のＡ−Ａ’線に沿った断面図である。
【図８】図６の帽子保持装置が刺繍機の駆動装置に装着された状態の左側面図である。
【図９】本発明における望ましい第２実施例による帽子保持装置の斜視図である。
【図１０】図９の背面図である。
【図１１】本発明における望ましい第３実施例による帽子保持装置の斜視図である。
【図１２】図１１の分解斜視図である。
【図１３】図１１に示された支持板の位置移動状態を示した図面である。
【図１４】図１１の帽子保持装置に帽子が装着された状態を示した平面図である。
【図１５】図１１のＣ−Ｃ’線に沿った断面図である。
【符号の説明】
１０：帽子
１００：帽子保持装置
１１０、１１０’：保持部材
１１１：第１支持面
１１２：第２支持面
１１２ａ：延長部
１１２ｂ：連結部
１１２ｃ：受容手段
１１３：フランジ部
１１４：結合部材
１２０：第１加圧部材
１２１：加圧部
１２２：第１拡張部
１２３：第２拡張部
１２４、１６１：締付け器具が付いた固定具
１２５、１２６：固定部
１２７：第１回動部
１３０：第２加圧部材
１３１：第１帽子固定部
１３２：つまみ部
１３３、１６９：係止ホック
１３４：第２回動部
１３５：第２帽子固定部
１４０ａ：保持板部
１４０ｂ：突出ピン
１４０ｃ：締結手段
１５０：帽子形状の維持部
１５１：帽子形状の支持板部
１５２：溝
１６０：加圧部材
１６２、１６３ａ、１６３ｂ：歯
１６６：回動部
１６７：第１棒
１６８：第２棒
１７０：保持クリップ
【図１】
2004277985.tif 000003
【図２】
2004277985.tif 000004
【図３】
2004277985.tif 000005
【図４】
2004277985.tif 000006
【図５】
2004277985.tif 000007
【図６】
2004277985.tif 000008
【図７】
2004277985.tif 000009
【図８】
2004277985.tif 000010
【図９】
2004277985.tif 000011
【図１０】
2004277985.tif 000012
【図１１】
2004277985.tif 000013
【図１２】
2004277985.tif 000014
【図１３】
2004277985.tif 000015
【図１４】
2004277985.tif 000016
【図１５】
2004277985.tif 000017